(57)【要約】【課題】差分伝送された差分映像データを有効に利用し、ユーザの利便性を向上させることが課題になっていた。【解決手段】実施形態の電子機器は、第１の映像の映像データと、前記第１の映像より高画質な映像と前記第１の映像との差分を含む差分データを受信する受信部を備える。また、前記第１の映像の映像データから前記第１の映像のフレーム画像を生成し、前記差分データから補間映像のフレーム画像を生成する生成部を備える。  また、前記生成された第１の映像のフレーム画像に、前記生成された補間映像のフレーム画像を補間した、第２の表示映像を出力する映像出力部を備える。【選択図】  図３
2014143596.tif 000002
【特許請求の範囲】
【請求項１】
第１の映像の映像データと、前記第１の映像より高画質な映像と前記第１の映像との差分を含む差分データを受信する受信部と、
前記第１の映像の映像データから前記第１の映像のフレーム画像を生成し、前記差分データから補間映像のフレーム画像を生成する生成部と、
前記生成された第１の映像のフレーム画像に、前記生成された補間映像のフレーム画像を補間した、第２の表示映像を出力する映像出力部を備える電子機器。
【請求項２】
前記第２の表示映像の出力を設定可能な映像出力設定部を備える請求項１に記載の電子機器。
【請求項３】
前記第２の表示映像の出力モードを設定可能なモード設定部を備える請求項１または２に記載の電子機器。
【請求項４】
前記第２の表示映像は、前記第１の映像よりフレームレートが高い請求項１乃至３のいずれかに記載の電子機器。
【請求項５】
前記第２の表示映像の出力が設定された場合に、第２のフレームレートで前記第２の表示映像が出力される請求項２乃至４のいずれかに記載の電子機器。
【請求項６】
前記第２の表示映像の出力が設定されない場合に、第１のフレームレートの表示映像が出力される請求項２乃至５のいずれかに記載の電子機器。
【請求項７】
第１の映像の映像データと、前記第１の映像より高画質な映像と前記第１の映像との差分を含む差分データを受信するステップと、
前記第１の映像の映像データから前記第１の映像のフレーム画像を生成し、前記差分データから補間映像のフレーム画像を生成するステップと、
前記生成された第１の映像のフレーム画像に、前記生成された補間映像のフレーム画像を補間した、第２の表示映像を出力するステップを備え、電子機器を制御する電子機器の制御方法。
【請求項８】
第１の映像の映像データと、前記第１の映像より高画質な映像と前記第１の映像との差分を含む差分データを受信するステップと、
前記第１の映像の映像データから前記第１の映像のフレーム画像を生成し、前記差分データから補間映像のフレーム画像を生成するステップと、
前記生成された第１の映像のフレーム画像に、前記生成された補間映像のフレーム画像を補間した、第２の表示映像を出力するステップを備え、電子機器を制御する電子機器の制御プログラム。 
【発明の詳細な説明】
【技術分野】
【０００１】
本発明の実施形態は、  電子機器、電子機器の制御方法、電子機器の制御プログラムに関する。
【背景技術】
【０００２】
近年、第1解像度の映像（例えば、「２ｋ１ｋ」）に、別途伝送された差分データを組み合わせ、第1解像度の映像より解像度が高い第２解像度の映像（例えば、「４ｋ２ｋ」）を表示する方式が提案されている（差分伝送）。
【０００３】
ここで、差分データとは、例えば、上記第1解像度の映像と、上記第２解像度の映像との差分情報である。
【０００４】
また、ここで、「２ｋ１ｋ」とは、ディスプレイの解像度で、いわゆるフルＨＤ相当のサイズを示す表現である。「２ｋ１ｋ」の「ｋ」はキロを指す。フルＨＤの解像度は１９２０×１０８０で、概算で２０００×１０００、すなわち「２ｋ１ｋ」という表記になっている。
【０００５】
また、「４ｋ２ｋ」とは、４０００×２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００６】
しかし、差分伝送が行われても、例えば、電子機器が上記第２解像度の映像を表示可能なディスプレイを備えていない場合は、上記差分映像データは、有効に利用されなくなってしまうことが問題になっていた。
【０００７】
このため、差分伝送された差分映像データを有効に利用し、ユーザの利便性を向上させることが課題になっていた。
【先行技術文献】
【特許文献】
【０００８】
【特許文献１】特開２００６−３５２７７８号公報
【特許文献２】特開２００７−３１１９５７号公報
【発明の概要】
【発明が解決しようとする課題】
【０００９】
差分伝送された差分映像データを有効に利用し、ユーザの利便性を向上させることが課題になっていた。
【課題を解決するための手段】
【００１０】
実施形態の電子機器は、第１の映像の映像データと、前記第１の映像より高画質な映像と前記第１の映像との差分を含む差分データを受信する受信部を備える。
【００１１】
また、前記第１の映像の映像データから前記第１の映像のフレーム画像を生成し、前記差分データから補間映像のフレーム画像を生成する生成部を備える。
【００１２】
また、前記生成された第１の映像のフレーム画像に、前記生成された補間映像のフレーム画像を補間した、第２の表示映像を出力する映像出力部を備える。
【図面の簡単な説明】
【００１３】
【図１】実施形態に係る電子機器の外観を示す外観図。
【図２】実施形態に係る電子機器の構成を示すブロック図。
【図３】実施形態に係る電子機器の構成の要部を示すブロック図。
【図４】実施形態に係る電子機器において、動きベクトルの参照位置がメイン映像の整数位置でない場合の例を示す図。
【図５】実施形態に係る電子機器において、第２の表示映像の出力を設定可能な映像出力設定部を示す図。
【図６】実施形態に係る電子機器において、第１の映像のフレーム画像に、補間映像のフレーム画像を補間するようすを示す図。
【図７】実施形態に係る電子機器の動作を説明するフローチャート。
【発明を実施するための形態】
【００１４】
以下、図面を参照し、実施の形態を説明する。
【００１５】
図１は、実施形態に係る電子機器の外観を示す外観図である。
【００１６】
ここでは、電子機器１の一例として、テレビ等の映像表示装置を用いて説明を行うが、電子機器１はテレビに限定されることはなく、録画装置やパーソナルコンピュータ（ＰＣ）、スマートフォン等にも適用可能である。
【００１７】
電子機器１は、例えば、ユーザによってリモコン（リモートコントローラ）２１が操作される。このリモコン２１から出力されたリモコン信号が電子機器１の操作受信部２０で受信される。
【００１８】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００１９】
また、この電子機器１は、例えば、ＵＳＢ端子等で外付けされる外部記憶機器（ＨＤＤ等）１９を備えている。そして、映像表示装置１で受信された放送を、例えば、映像表示装置１内部の内部記憶装置１７やこの外部記憶機器１９に録画することが可能である。
【００２０】
また、この実施形態においては、インターネットや放送を介し、「高画質映像」を生成するための「差分情報」が伝送（差分伝送）され、電子機器１で受信される。
【００２１】
一般に、差分伝送方式は、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）を用い、「高画質映像」である第２の映像（第２解像度の映像、例えば、「４ｋ２ｋ」映像）を表示出力する方式である。
【００２２】
そして、第１の映像（例えば、「２ｋ１ｋ」映像）と、第１の映像より解像度が高い第２の映像（例えば、「４ｋ２ｋ」映像）と第１の映像との差分映像データを用いて第２の映像が出力される。
【００２３】
図２は、実施形態に係る電子機器の構成を示すブロック図である。
【００２４】
この実施形態において、電子機器１は、例えば、第１の映像の映像データと、前記第１の映像より高画質な映像と前記第１の映像との差分を含む差分データを受信する受信部を備えている。
【００２５】
第１の映像の映像データは、例えば、放送局２５から放送された放送波が、アンテナ２で受信され、チューナ３で選局されることにより電子機器１で受信される。
【００２６】
また、差分データは、第１の映像の映像データと同様に、放送局２５から放送され、アンテナ２、チューナ３を介して電子機器１で受信される。あるいは、ネットワーク２６を介したインターネット等で送信され、電子機器１で受信される。
【００２７】
そして、電子機器１は、例えば、制御部１１に制御された映像処理部５等において、前記第１の映像の映像データから前記第１の映像のフレーム画像を生成する。また、同様に、前記差分データから補間映像のフレーム画像を生成する。
【００２８】
そして、例えば、制御部１１に制御された映像処理部５等において、前記生成された第１の映像のフレーム画像に、前記生成された補間映像のフレーム画像を補間処理し、第１の映像のフレーム画像に補間映像のフレーム画像を補間した第２の表示映像を出力する。
【００２９】
この実施形態においては、制御部１１はＣＰＵ１２を備えている。そして、ＣＰＵ１２は電子機器（映像表示装置）１を制御する。
【００３０】
また、ＲＡＭ１３、ＲＯＭ１４、フラッシュメモリ１５は、例えば、制御部１１で行われる処理に利用される。
【００３１】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３２】
信号処理部４で受信されたデジタル信号の映像コンテンツは信号処理が施され、音声処理部６および映像処理部５に送信される。
【００３３】
音声処理部６は、信号処理が施された映像コンテンツを受信し、音声処理を施した信号をスピーカ９に送信する。
【００３４】
スピーカ９は、音声処理が施された信号を受信し、音声を出力する。
【００３５】
また、映像処理部５は、信号処理が施された映像コンテンツを受信し、映像処理を施した信号を表示装置７に送信する。
【００３６】
表示装置７は、映像処理が施された信号を受信し、ＬＣＤパネル等で構成される表示画面（映像表示部）８に映像を表示する。
【００３７】
また、この実施形態においては、電子機器（映像表示装置）１は内部記憶装置１７を備えている。この内部記憶装置１７は、上記外部記録機器１９と同様に、例えば、電子機器（映像表示装置）１で受信された映像コンテンツを録画することが可能である。
【００３８】
また、この実施形態においては、電子機器（映像表示装置）１は、上記のようにＵＳＢ接続やＬＡＮ接続される外部記憶機器１９を備えている。上記受信された映像コンテンツはこの外部記憶機器１９に記録することも可能である。
【００３９】
また、この実施形態においては、電子機器（映像表示装置）１は、送受信部（ネットワークインターフェース）２２、ネットワーク（インターネット）２６を介してサーバ２７に接続されており、例えば、インターネットで配信された映像コンテンツを受信し、上記と同様に、内部記憶装置１７や外部記憶機器１９に記録することも可能である。
【００４０】
これらの処理は、上記のように、制御部１１に制御される。
【００４１】
図３は、実施形態に係る電子機器の構成の要部を示すブロック図である。
【００４２】
図３（ａ）は、実施形態に係る電子機器（映像表示装置）１を示すブロック図である。
【００４３】
例えば、放送局２５から放送され、放送波で送られる番組を表示する場合は、これらの放送波は、例えば、電子機器１のチューナ部３で選局受信される。
【００４４】
チューナ部３は、予め設定された放送チャンネルの番組を抽出し、主映像（メイン映像）として映像生成部（映像処理部）５へ向けて出力する。
【００４５】
また、外部入力（ＨＤＭＩ／ビデオ入力端子／Ｅｔｈｅｒｎｅｔ（登録商標）／ＵＳＢ等）からの映像入力を表示する場合は、その入力は、例えば、外部Ｉ/Ｆ制御部２２に入力される。
【００４６】
そして、例えば、外部Ｉ/Ｆ制御部２２において、それらの入力に依り必要なパケット／再生制御、デコード等を実施、適切な形式に整えられた映像データを取り出してメイン映像入力として映像生成部５へ入力する。
【００４７】
図３（ｂ）は、映像生成部５の構成を示している。
【００４８】
映像生成部３２では、設定に応じて、チューナ部３から出力され、入力される映像、もしくは、外部Ｉ/Ｆ映像入力（外部データ）からの映像入力を設定に応じて加工する。
【００４９】
例えば、ＹＣｂＣｒ映像フォーマット入力をＲＧＢへ変換する。その他、画質改善等の処理がなされても良い。
【００５０】
そして、映像生成部３２は、上記加工後の映像データを、例えば、図３（ｂ）に示す、補間映像生成部３３へ向けて出力する。
【００５１】
ここまでは、一般的なディジタルテレビの動作と同様である。
【００５２】
ここで、ＨＤＭＩは、Ｈｉｇｈ−Ｄｅｆｉｎｉｔｉｏｎ Ｍｕｌｔｉｍｅｄｉａ Ｉｎｔｅｒｆａｃｅ（高精細度マルチメディアインターフェース）の略であり、映像・音声をデジタル信号で伝送する通信インタフェースの標準規格である。
【００５３】
また、Ｅｔｈｅｒｎｅｔ（登録商標）は、コンピューターネットワークの規格の1つであり、ＬＡＮ （Ｌｏｃａｌ Ａｒｅａ Ｎｅｔｗｏｒｋ）等 でも使用されている技術規格である。
【００５４】
また、ＵＳＢは、Ｕｎｉｖｅｒｓａｌ Ｓｅｒｉａｌ Ｂｕｓの略であり、コンピュータ等の情報機器に周辺機器を接続するためのシリアルバス規格の1つである。
【００５５】
続いて、この実施形態に係る、差分映像データの利用について説明する。
【００５６】
ここでは、主映像（メイン映像）が補間映像生成部３３に入力されるまでは上記と同様の構成である。
【００５７】
差分情報は、ここでは、放送局２５から送信された放送波、もしくは、外部データ入力より入力される。
【００５８】
そして、差分情報の入力が放送波からされる場合は、チューナ部３で差分情報が取出される。また、差分情報の入力が外部データ入力からされる場合は、外部Ｉ/Ｆ制御部２２で、その入力に依り必要なパケット／再生制御、デコード等を実施し、適切な形式に整えられた差分情報を取り出して、差分映像入力として差分映像生成部３１へ向けて出力し、入力する。
【００５９】
図３（ｃ）は、補間映像生成部３３の構成を示している。
【００６０】
ここで説明する補間映像生成部３３の構成は一例である。
【００６１】
映像は、時系列で一連のフレームにより構成される。
【００６２】
しかし、動きベクトル検出部３３ａでは、前後のフレーム間の部分的な画像相関等により表示されている物体の動きを，ある程度大きな区画ごとに推定／検出する。
【００６３】
動きベクトル補正部３３ｂでは、動きベクトル検出部３３ａで検出された動きベクトルを、画素単位の動きベクトルに変換する。
【００６４】
そして、検出しようとする画素位置、及びその周辺画素位置に相当する画素の情報から、輪郭検出等により、画素単位の動きベクトルを算出し、さらに近い位置の画素単位動きベクトル同士の相対的な関係から、さらに補正をかける、等の処理を行う。
【００６５】
また、補間画素生成部３３ｃでは、動きベクトル補正部３３ｂで得られた対応する補間画素ごとの動きベクトルの指す画素により、補間フレームを構成する画素を生成する。
【００６６】
この際、補間フレームが、元とする前後のフレームに対し、時間的に中間位置であれば動きベクトルにより参照するそれぞれの画素の平均とする、等の方法がある。
【００６７】
また、さらに時間的に細かく補間する場合等は、中間ではなく、１／３、もしくは、１／５の倍数等の位置の場合は、動きベクトルもそれに応じて変化させて、さらに参照画素値についても比例配分混合した値とする、等により画質向上を図ることができる。
【００６８】
これにより、動きベクトルの参照位置が、第１の映像の整数位置とは限らないため、差分情報を用いることで、より精度の高い補間を実現することが可能である。
【００６９】
図４は、実施形態に係る電子機器において、動きベクトルの参照位置が第１の映像の整数位置でない場合の例を示す図である。
【００７０】
ここでは、第１の映像として「２ｋ１ｋ」、第２の映像として、解像度が垂直方向、水平方向とも第１の映像の4倍である「８ｋ４ｋ」である場合を例にとり、説明を行う。
【００７１】
例えば、画素値Ｃ１（１０．２５, ５００．５）（４１）は「８ｋ４ｋ」の整数画素位置となるため差分情報を用いることで正確な画素値をもとめることができる。
【００７２】
例えば、ここでは、動きベクトルと補間フレームの時間位置から、主映像（メイン映像）で先行するフレームの（１０．２５, ５００．５） の画素値Ａ０と、対応する差分データＡ１後続フレームの（３０．７５, ５２０）の画素値Ｂ０と対応する差分データＢ１を参照する。
【００７３】
この場合に、ここでは、先行フレームと後続フレームの重みづけをＸ, Ｙ（Ｘ＋Ｙ＝１）とする。
【００７４】
すると、補間画素値は、
（Ａ０＋Ａ１）＊Ｘ＋（Ｂ０＋Ｂ１）＊Ｙ
で与えられる。
【００７５】
例えば、倍速の場合は、Ｘ＝０．５，Ｙ＝０．５としても良い。また、５倍速の場合は、Ｘ＝０．８，Ｙ＝０．２としても良い。
【００７６】
ここで差分データは差分映像生成部にて対応する主映像（メイン映像）フレームの画素値との差分(符号付数)として生成するものとした。(差分データの形式はこれに限らない。)
すなわち、主映像（メイン映像）の整数位置でない画素を参照する際に、例えば、予め、主映像（メイン映像）と差分情報をマージしたフレームを生成しておくと、それを参照すれば良い。
【００７７】
また、主映像（メイン映像）のフレームと、差分情報データとはそれぞれそのままメモリに配されていて、整数位置でない参照が発生した都度、メインフレームデータと差分データの該当箇所を取得し、これらを混合するようにしても良い。この方法の場合は、予め、主映像（メイン映像）と差分情報をマージしたフレームを生成しておく手順、及び、それらを格納する記憶領域等を省略することが可能になる。
【００７８】
図５は、実施形態に係る電子機器において、第２の表示映像の出力を設定可能な映像出力設定部を示す図である。
【００７９】
ここでは、例えば、なめらか表示（第２の表示：差分映像を使用した映像補間処理）の設定をＯＮおよびＯＦＦに切り替えることが可能である。
【００８０】
ここでは、「１．なめらか表示（第２の表示：差分映像を使用した映像補間処理）設定をＯＮにしますか？」と表示され、ユーザによって、「Ｙｅｓ」５１が指定されている。
【００８１】
また、ここでは、なめらか表示のモードを指定することが可能である。
【００８２】
ここでは、「２．なめらか表示のモードを指定してください」と表示され、ユーザによって、「映画（シネマ）」５２が指定されている。
【００８３】
ここで、「なめらか表示」とは、例えば、ＦＲＣ等の映像処理技術を用い、表示される映像が、よりなめらかに表現されるような映像処理である。これらの「なめらか表示」は、例えば、映画（シネマ）モード等で使用される。
【００８４】
ここで、ＦＲＣ（フレームレートコンバータ）とは、元の映像にあるフレームとフレームの間に、生成した補間フレームを表示することで液晶ディスプレイのフレームレートを高めて映像をなめらかに表示する技術のことである。図６は、実施形態に係る電子機器において、第１の映像のフレーム画像に、補間映像のフレーム画像を補間するようすを示す図である。
【００８５】
図６（ａ）は、第１の映像（主映像）のフレーム画像を示している。
【００８６】
図６（ａ）に示すように、主映像においては、６０Ｈｚ毎に、主映像フレーム６１、主映像フレーム６２、主映像フレーム６３等が出力されている。
【００８７】
図６（ｂ）は、第１の映像のフレーム画像に、補間映像のフレーム画像を補間するようすを示している。
【００８８】
図６（ｂ）に示すように、６０Ｈｚ毎に出力される主映像フレーム（主映像フレーム６１、主映像フレーム６２、主映像フレーム６３等）の間に、補間映像フレーム（補間映像フレーム７１、補間映像フレーム７２等）が出力され、主映像フレームと補間映像フレームを合わせ、１２０Ｈｚ毎に映像が出力されている。
【００８９】
図７は、実施形態に係る電子機器の動作を説明するフローチャートである。
【００９０】
ステップＳ１００は、ここでの開始ステップである。続いて、ステップＳ１０１に進む。
【００９１】
ステップＳ１０１は、主（メイン）映像（第１の映像）データと、差分映像データを受信するステップである。続いて、ステップＳ１０２に進む。
【００９２】
ステップＳ１０２は、例えば、図６に示すように、主映像（第１の映像）データから主映像（第１の映像）のフレーム画像（６１，６２，６３等）を生成するステップである。続いて、ステップＳ１０３に進む。
【００９３】
ステップＳ１０３は、「なめらか表示」（第２の表示）の設定がＯＮにされているかを検出するステップである。「なめらか表示」（第２の表示）の設定がＯＮにされていると検出される場合は、ステップＳ１０４に進む（Ｙｅｓ）。「なめらか表示」（第２の表示）の設定がＯＮにされていないと検出される場合は、ステップＳ１０８に進む（Ｎｏ）。
【００９４】
ステップＳ１０４は、「表示モード」の指定がされているかを検出するステップである。「表示モード」の指定がされていると検出される場合は、ステップＳ１０５に進む（Ｙｅｓ）。「表示モード」の指定がされていないと検出される場合は、ステップＳ１０８に進む（Ｎｏ）。
【００９５】
ステップＳ１０５は、例えば、図６に示すように、主映像（第１の映像）データと差分データから補間映像のフレーム画像（７１，７２）を生成するステップである。続いて、ステップＳ１０６に進む。
【００９６】
ステップＳ１０６は、指定された表示モードの情報を取得するステップである。例えば、映像（シネマ）モードは、フレームレート１２０Ｈｚで表示される。続いて、ステップＳ１０７に進む。
【００９７】
ステップＳ１０７は、主映像（第１の映像）のフレーム画像に、補間映像のフレーム画像を補間し、指定モードに応じた第２のフレームレート（例えば、映像（シネマ）モードは、１２０Ｈｚ）で、映像をなめらか表示（第２の表示）出力するステップである。続いて、ステップＳ１０９に進む。
【００９８】
ステップＳ１０８は、主映像（第１の映像）のフレーム画像（第１のフレームレート（６０Ｈｚ））で、映像を表示出力するステップである。続いて、ステップＳ１０９に進む。
【００９９】
ステップＳ１０９は、終了ステップであり、ここでの処理は終了する。
【０１００】
この実施形態においては、例えば、４ｋ２ｋ等の差分配信を受信可能な映像表示装置において、補間映像生成の際に、表示サイズに関わらず、差分配信データも使用することで、より品質の高い映像を表示することが可能になる。
【０１０１】
すなわち、この実施形態においては、主映像（メイン映像）のみではなく、差分データも活用して補間フレームを生成することで画質の向上を図ることが可能になる。
【０１０２】
また、この実施形態においては、参照画像として４ｋ２ｋ映像を用いて補間映像を生成する。また、Ｆｕｌｌ ＨＤ をベースに、補間画素生成時に４ｋ２ｋ差分を計算に加えている。
【０１０３】
また、この実施形態においては、電子機器１のパネル画素数が４ｋ２ｋ もしくはそれ以上のサイズ、あるいは、パネル画素数がＦｕｌｌ ＨＤ等の、４ｋ２ｋより小さいサイズである場合においても適用可能である。
【０１０４】
すなわち、この実施形態の電子機器１は、第１の映像の映像データと、前記第１の映像より高画質な映像と前記第１の映像との差分を含む差分データを受信する受信部を備えている。
【０１０５】
また、前記第１の映像の映像データから前記第１の映像のフレーム画像を生成し、前記差分データから補間映像のフレーム画像を生成する生成部を備えている。
【０１０６】
また、前記生成された第１の映像のフレーム画像に、前記生成された補間映像のフレーム画像を補間した、第２の表示映像を出力する映像出力部を備えている。
【０１０７】
また、この実施形態の電子機器１は、前記第２の表示映像の出力を設定可能な映像出力設定部を備えている。
【０１０８】
また、この実施形態の電子機器１は、前記第２の表示映像の出力モードを設定可能なモード設定部を備えている。
【０１０９】
また、この実施形態の電子機器１は、前記第２の表示映像は、前記第１の映像よりフレームレートが高い。
【０１１０】
また、この実施形態の電子機器１は、前記第２の表示映像の出力が設定された場合に、第２のフレームレートで前記第２の表示映像が出力される。
【０１１１】
また、前記第２の表示映像の出力が設定されない場合に、第１のフレームレートの表示映像が出力される。
【０１１２】
上記のように構成することによって、この実施形態においては、差分伝送された差分映像データを有効に利用し、ユーザの利便性を向上させることが可能になる。
【０１１３】
なお、上記実施形態の制御処理の手順は全てソフトウェアによって実行することも可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１４】
なお、上記実施形態は、記述そのものに限定されるものではなく、実施段階では、その趣旨を逸脱しない範囲で、構成要素を種々変形して具体化することが可能である。
【０１１５】
また、上記実施形態に開示されている複数の構成要素の適宜な組み合せにより種々の発明を形成できる。
【０１１６】
例えば、実施形態に示される全構成要素から幾つかの構成要素を削除してもよい。更に、異なる実施形態に亘る構成要素を適宜組み合せてもよい。
【符号の説明】
【０１１７】
１…電子機器、３…チューナ部、５…映像生成部、７…映像表示部、１１…制御部、３１…差分映像生成部、３２…映像生成部、３３…補間映像生成部、３３ａ…動きベクトル検出部、３３ｂ…動きベクトル補正部、３３ａ…補間画素生成部、３４…映像効果部。
【図１】
2014143596.tif 000003
【図２】
2014143596.tif 000004
【図３】
2014143596.tif 000005
【図４】
2014143596.tif 000006
【図５】
2014143596.tif 000007
【図６】
2014143596.tif 000008
【図７】
2014143596.tif 000009